(57)【要約】  本発明は、データ伝送モードの決定方法、ネットワークデバイス及びコンピュータ記憶媒体を開示し、入力パラメータを取得することと、前記入力パラメータに基づいて、前記端末デバイスに対するデータ伝送モードを決定することと、前記データ伝送モードを前記端末デバイスに送信することとを含み、ここで、前記入力パラメータが、端末デバイスから報告された伝送関連情報、及び／又は、ネットワーク側の関連情報を含む。
2021503198.tif 000002
【特許請求の範囲】
【請求項１】
ネットワークデバイスに応用されるデータ伝送モードの決定方法であって、
入力パラメータを取得することと、
前記入力パラメータに基づいて、端末デバイスに対するデータ伝送モードを決定することと、
前記データ伝送モードを前記端末デバイスに送信することとを含み、
前記入力パラメータが、端末デバイスから報告された伝送関連情報、及び／又は、ネットワーク側の関連情報を含む
ことを特徴とするデータ伝送モードの決定方法。
【請求項２】
前記データ伝送モードを前記端末デバイスに送信することは、
前記データ伝送モードを含むコマンドを、メディアアクセス制御ＭＡＣ層制御ユニットＣＥの形態で前記端末デバイスに送信することを含む
ことを特徴とする請求項１に記載のデータ伝送モードの決定方法。
【請求項３】
前記データ伝送モードを前記端末デバイスに送信することは、
前記データ伝送モードを含むコマンドを、物理下り制御チャネルのコマンドの形態で前記端末デバイスに送信することを含む
ことを特徴とする請求項１に記載のデータ伝送モードの決定方法。
【請求項４】
前記データ伝送モードを前記端末デバイスに送信することは、
前記データ伝送モードを含むコマンドを、無線リソース制御ＲＲＣシグナリングの形態で前記端末デバイスに送信することを含む
ことを特徴とする請求項１に記載のデータ伝送モードの決定方法。
【請求項５】
前記データ伝送モードのコマンドは、
データ伝送モードを変更するためのベアラ情報及びデータ伝送モードを含む
ことを特徴とする請求項２〜４のいずれか１項に記載のデータ伝送モードの決定方法。
【請求項６】
前記端末デバイスに対するデータ伝送モードは、
リンクアグリゲーションモード、リンクスイッチングモード、キャリアアグリゲーションモード、パケット複製モードのうちの少なくとも１つを含む
ことを特徴とする請求項１に記載のデータ伝送モードの決定方法。
【請求項７】
前記端末デバイスから報告された伝送関連情報は、
前記端末デバイスから報告された、チャネルに対する測定値、
前記端末デバイスから報告された、データ伝送モード指示情報のうちの少なくとも１つを含む
ことを特徴とする請求項１に記載のデータ伝送モードの決定方法。
【請求項８】
前記ネットワーク側の関連情報は、
前記端末デバイスのサービス品質ＱＯＳ要求、
ネットワーク側により測定された上りチャネル条件、
ネットワーク側により統計されたデータ受信の誤り率、
ネットワーク側の負荷情報のうちの少なくとも１つを含む
ことを特徴とする請求項１に記載のデータ伝送モードの決定方法。
【請求項９】
通信ユニットと、処理ユニットと、を備えるネットワークデバイスであって、
前記通信ユニットは、入力パラメータを取得し、データ伝送モードを前記端末デバイスに送信し、前記入力パラメータが、端末デバイスから報告された伝送関連情報、及び／又は、ネットワーク側の関連情報を含み、
前記処理ユニットは、前記入力パラメータに基づいて、前記端末デバイスに対するデータ伝送モードを決定する
ことを特徴とするネットワークデバイス。
【請求項１０】
前記通信ユニットは、前記データ伝送モードを含むコマンドを、メディアアクセス制御ＭＡＣ層制御ユニットＣＥの形態で前記端末デバイスに送信する
ことを特徴とする請求項９に記載のネットワークデバイス。
【請求項１１】
前記通信ユニットは、前記データ伝送モードを含むコマンドを、物理下り制御チャネルのコマンドの形態で前記端末デバイスに送信する
ことを特徴とする請求項９に記載のネットワークデバイス。
【請求項１２】
前記通信ユニットは、前記データ伝送モードを含むコマンドを、無線リソース制御ＲＲＣシグナリングの形態で前記端末デバイスに送信する
ことを特徴とする請求項９に記載のネットワークデバイス。
【請求項１３】
前記データ伝送モードのコマンドは、
データ伝送モードを変更するためのベアラ情報及びデータ伝送モードを含む
ことを特徴とする請求項１０〜１２のいずれか１項に記載のネットワークデバイス。
【請求項１４】
前記端末デバイスに対するデータ伝送モードは、
リンクアグリゲーションモード、リンクスイッチングモード、キャリアアグリゲーションモード、パケット複製モードのうちの少なくとも１つを含む
ことを特徴とする請求項９に記載のネットワークデバイス。
【請求項１５】
前記端末デバイスから報告された伝送関連情報は、
前記端末デバイスから報告された、チャネルに対する測定値、
前記端末デバイスから報告された、データ伝送モード指示情報のうちの少なくとも１つを含む
ことを特徴とする請求項９に記載のネットワークデバイス。
【請求項１６】
前記ネットワーク側の関連情報は、
前記端末デバイスのサービス品質ＱＯＳ要求、
ネットワーク側により測定された上りチャネル条件、
ネットワーク側により統計されたデータ受信の誤り率、
ネットワーク側の負荷情報のうちの少なくとも１つを含む
ことを特徴とする請求項９に記載のネットワークデバイス。
【請求項１７】
プロセッサと、前記プロセッサで実行可能なコンピュータプログラムを格納するメモリと、を備えるネットワークデバイスであって、
前記プロセッサが、前記コンピュータプログラムを実行することによって、請求項１〜８のいずれか１項に記載の方法のステップを実行するように構成されている
ことを特徴とするネットワークデバイス。
【請求項１８】
請求項１〜８のいずれか１項に記載の方法ステップを実行するコンピュータ実行可能命令を記憶した
ことを特徴とするコンピュータ記憶媒体。
【発明の詳細な説明】
【技術分野】
【０００１】
本発明は、情報処理技術の分野に関し、特に、データ伝送モードの決定方法、ネットワークデバイス及びコンピュータ記憶媒体に関する。
【背景技術】
【０００２】
現在、３ＧＰＰ国際標準団体は、人々が速度、遅延、高速移動性、エネルギー効率に対する追求、及び将来の生活におけるトラフィックの多様性、複雑性に伴い、５Ｇを開発し始めている。低遅延高信頼通信( ＵＲＬＬＣ )に対しては、５Ｇ標準研究においてその信頼性伝送を保証する多くのメカニズムが策定されており、ＵＥのデータ伝送形式を動的に変化させることは、システム容量を向上させると同時にデータ伝送の信頼性を両立させるために重要な意味を持つ。
【発明の概要】
【０００３】
本発明の実施例は、以上の課題を解決するために、データ伝送モードの決定方法、ネットワークデバイス及びコンピュータ記憶媒体を提供する。
【０００４】
本発明の実施例は、データ伝送モードの決定方法を提供し、ネットワークデバイスに応用され、
入力パラメータを取得することと、
前記入力パラメータに基づいて、端末デバイスに対するデータ伝送モードを決定することと、
前記データ伝送モードを前記端末デバイスに送信することとを含み、
ここで、前記入力パラメータが、端末デバイスから報告された伝送関連情報、及び／又は、ネットワーク側の関連情報を含む。
【０００５】
本発明の実施例は、ネットワークデバイスを提供し、通信ユニットと処理ユニットとを備え、
通信ユニットは、入力パラメータを取得し、前記データ伝送モードを前記端末デバイスに送信し、ここで、前記入力パラメータが、端末デバイスから報告された伝送関連情報、及び／又は、ネットワーク側の関連情報を含み、
処理ユニットは、前記入力パラメータに基づいて、前記端末デバイスに対するデータ伝送モードを決定する。
【０００６】
本発明の実施例は、ネットワークデバイスを提供し、プロセッサと、前記プロセッサで実行可能なコンピュータプログラムを格納するメモリと、を備え、
ここで、前記プロセッサが、前記コンピュータプログラムを実行することによって、上記の方法のステップを実行するように構成されている。
【０００７】
本発明の実施例は、コンピュータ記憶媒体を提供し、コンピュータ記憶媒体が上記の方法ステップを実行するコンピュータ実行可能命令を記憶した。
【０００８】
本発明の実施例は、端末デバイスから報告されたパラメータ及び/又はネットワーク側の関連情報に基づいて、端末デバイスに対するデータ伝送モードを決定することができ、システム容量の向上とデータ伝送の信頼性の両立を図ることができる。
【図面の簡単な説明】
【０００９】
【図１】本発明の実施例におけるデータ伝送モードの決定方法のフローチャートである。
【図２−１】本発明の実施例におけるデータ構成の模式図である。
【図２−２】本発明の実施例におけるコピー伝送の模式図１である。
【図２−３】本発明の実施例におけるコピー伝送の模式図２である。
【図３】本発明の実施例におけるネットワークデバイスの構成の模式図である。
【図４】本発明の実施例におけるハードウェアアーキテクチャの模式図である。
【発明を実施するための形態】
【００１０】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１１】
実施例一
本発明の実施例は、データ伝送モードの決定方法を提供し、ネットワークデバイスに応用され、図１に示すように、ステップ１０１〜１０３を含み、
ステップ１０１において、入力パラメータを取得し、ここで、前記入力パラメータは、前記端末デバイスから報告された伝送関連情報、及び／又は、ネットワーク側の関連情報を含み、
ステップ１０２において、前記入力パラメータに基づいて、前記端末デバイスに対するデータ伝送モードを決定し、
ステップ１０３において、前記データ伝送モードを前記端末デバイスに送信する。
【００１２】
ここで、前記ネットワークデバイスは、ネットワーク側の基地局等のデバイスであってもよく、伝送モードの選択及び送信の処理が可能であればこの実施例で保護する対象とすることができる。
【００１３】
前記入力パラメータには、能動的に報告したコンテンツが含まれていてもよく、及び/又は、ネットワーク側で検出又は直接取得した関連情報が含まれていてもよい。
【００１４】
具体的に、前記端末デバイスから報告された伝送関連情報は、
前記端末デバイスから報告された、チャネルに対する測定値、前記端末デバイスから報告された、データ伝送モード指示情報のうちの少なくとも１つを含む。
【００１５】
前記ネットワーク側の関連情報は、
前記端末デバイスのサービス品質ＱＯＳ要求、ネットワーク側により測定された上りチャネル条件、ネットワーク側により統計されたデータ受信の誤り率、ネットワーク側の負荷情報のうちの少なくとも１つを含む。
【００１６】
入力パラメータに基づいて端末デバイスに対するデータ伝送モードの決定方法は、上記の複数の入力パラメータのいずれか１つから決定してもよく、複数の入力パラメータを組み合わせて決定してもよい。以下、上記複数のパラメータのそれぞれについて説明する。
【００１７】
前記端末デバイスから報告された、チャネルに対する測定値は、ＲＳＲＰ、及び／又はＲＳＲＱ、及び／又はＳＩＲ、及び／又はＳＩＮＲ、及び／又はＣＳＩであっても良い。ＰＵＣＣＨにより報告されても良いし、ＰＵＳＣＨにより報告されても良いし、ＲＲＣシグナリングより報告されても良い。
【００１８】
前記端末デバイスから報告されたデータ伝送モード指示情報は、ＵＥが、チャネル測定に応じて、データ伝送モードを選択する。ＭＡＣ ＣＥモードでネットワーク側に指示される。
【００１９】
上記２つのパラメータの使用方法に関して、端末デバイスは、そのうちの１つのみを報告し、その後、ネットワークデバイスがチャネルの測定値を利用してどのデータ伝送モードを採用するかを決定してもよく、例えば、チャネルの信号対雑音比が大きい場合、チャネル品質が良好と判断し、この場合、リンクスイッチングモードが使用されてもよく、又はリンクアグリゲーションモードが使用されてもよく、チャネルの信号対雑音比が低い場合には、チャネルの品質が悪いと判断し、パケット複製モードでデータ伝送を行うことができる。
【００２０】
端末デバイスが自らデータ伝送モードを選択した場合には、端末デバイスからデータ伝送モード指示情報を直接報知し、ネットワークデバイスは指示情報に基づいて端末デバイスに対するデータ伝送モードを決定することができる。 
さらに、
ネットワーク側により測定された上りチャネル条件、例えば、上りチャネルを測定するＳＩＮＲ等である。
【００２１】
ネットワーク側により統計されたデータ受信の誤り率は、具体的には、ネットワーク側により統計されたデータ受信のブロック誤り率( ＢＬＥＲ、Ｂｌｏｃｋ Ｅｒｒｏｒ Ｒａｔｅ )、又はビット誤り率( ＢＥＲ、Ｂｉｔ Ｅｒｒｏｒ Ｒａｔｉｏ）を含む。このパラメータを用いてデータ伝送モードの選択を行う場合、ＢＬＥＲ又はＢＥＲが低い場合には、リンクアグリゲーション( Ｌｉｎｋ ａｇｇｒｅｇａｔｉｏｎ )モードを選択したり、リンクスイッチング( Ｌｉｎｋ ｓｗｉｔｃｈｉｎｇ )モードを選択したり、ＢＬＥＲ又はＢＥＲが高い場合には、パケット複製( Ｐａｃｋｅｔ ｄｕｐｌｉｃａｔｉｏｎ )モードを選択したり、といった処理が可能である。
【００２２】
ネットワーク側負荷は、ある側のネットワーク負荷が重ければ、Ｌｉｎｋ ｓｗｉｔｃｈｉｎｇを選択することができる。
【００２３】
前記端末デバイスのサービス品質ＱＯＳ要求は、ＵＥ ＱＯＳがレート、信頼度に対する要求及びチャネル条件に応じて、データ伝送モードを柔軟に変更し、ＵＥ ＱＯＳ要件を満足する。
【００２４】
前記ネットワーク側のいくつかのパラメータは、１つだけが使用されてもよく、同時に使用されてもよく、例えば、ネットワーク側の負荷を単独で利用したり、ネットワーク側のデータ受信の誤り率を単独で利用したりする処理方式は、既に提供されているので、ここではその説明を省略する。ＵＥのＱＯＳを単独で使用する方式は、ＵＥのＱＯＳを満たす条件に基づいてデータ伝送モードを選択することができ、例えば、ＱＯＳの条件に基づいてリンクスイッチングモード又はリンクアグリゲーションモードを採用することを決定し、その条件に基づいてパケット複製モードを選択することができる。複数のパラメータが同時に使用される場合、２つのパラメータによって選択されたパターンの共通分を結合することができ、例えば、ネットワーク側のデータ受信誤り率に基づいてリンクアグリゲーションモード及びリンクスイッチングモードを選択できると判定し、次に、ＱＯＳに基づいてリンクスイッチングモードのみを選択できると判定した場合には、リンクスイッチングモードをＵＥのデータ伝送モードとして選択する。
【００２５】
勿論、端末デバイスから報告されたパラメータを結合し伝送モードを決定することができ、例えば、端末デバイスから報告されたパラメータ及びネットワーク側の関連パラメータに基づいて決定し、端末デバイスがチャネルに対する測定値を報告し、ネットワーク側の関連パラメータがデータ受信の誤り率である場合、まず、チャネルの測定値と共に、あるデータ伝送モードが判定可能か否かを判定し、２以上のデータ伝送モードが判定された場合には、端末デバイスがデータ受信の誤り率と共に、２以上のデータ伝送モードのいずれであるかを再度判定するようにしてもよい。
【００２６】
また、複数のパラメータを組み合わせて判断する場合には、異なるパラメータに優先度を設定し、例えば、端末デバイスのチャネル測定値やデータ伝送モードを示す情報に高い優先度を設定し、次に、ネットワーク側で検出された上りチャネル条件やデータ誤り率を設定し、端末デバイスのＱＯＳに低い優先度を設定する。すなわち、複数のパラメータの結合判定の際に、その測定値を受信したら、その測定値を用いてデータ伝送モードの決定を行う。もちろん、上記の優先度の設定は一例であり、この実施形態において網羅的に列挙しない限り、他の優先度の順序で実際に設定することも可能である。複数のパラメータを組み合わせて優先度を異ならせる設定の場合は、この実施形態で提供するシーン保護の範囲内である。
【００２７】
ネットワーク側からＵＥコマンドを送信してどのデータ伝送モードを採用する。前記データ伝送モードを前記端末デバイスに送信することは、以下の方式を含む。
【００２８】
方式一として、前記データ伝送モードを含むコマンドを、メディアアクセス制御ＭＡＣ層制御ユニットＣＥの形態で前記端末デバイスに送信する。
【００２９】
方式二として、前記データ伝送モードを含むコマンドを、物理下り制御チャネルのコマンドの形態で前記端末デバイスに送信する。
【００３０】
方式三として、前記データ伝送モードを含むコマンドを、無線リソース制御ＲＲＣシグナリングの形態で前記端末デバイスに送信する。
【００３１】
さらに、前記データ伝送モードのコマンドは、データ伝送モードを変更するためのベアラ情報及びデータ伝送モードを含む。
【００３２】
ＭＡＣ ＣＥ形式であれば、この新たなＭＡＣ ＣＥに対して、対応する論理チャネルＩＤ、すなわちＬＣＩＤを定義する。ＭＡＣ ＣＥは、２つの情報を含み、１つがデータ伝送モードの変更を指示するベアラ情報、端末と基地局間のデータベアラＤＲＢの識別子（ＩＤ）又はベアラに対応する論理チャネルのＩＤであり(図２−１ )、もう１つがデータ伝送形式であり、このデータ伝送形式でＬｉｎｋ ａｇｇｒｅｇａｔｉｏｎ、Ｌｉｎｋ ｓｗｉｔｃｈｉｎｇ、又はＰａｃｋｅｔ ｄｕｐｌｉｃａｔｉｏｎの何れのモードを採用するかを示し、具体的なデータ伝送形式は、図２−１のＦｌａｇビットでもよく、２ ｂｉｔでもよく、例えば、リンクアグリゲーションモードを用いる場合が００、リンクスイッチモードの場合が０１、パケット複製モードの場合は１０であっても良く、他のモードが１１である。もちろん、前記２ ｂｉｔで表される形式は例示に過ぎず、他の設定も可能であり、ここでは網羅しない。
【００３３】
ＰＤＣＣＨ ｏｒｄｅｒ／ＲＲＣシグナリング形式であれば、ＰＤＣＣＨ ｏｒｄｅｒ／ＲＲＣシグナリングには２つの情報が含まれ、１つがそのコマンドがデータ伝送モードを変更するベアラ情報、ＤＲＢ ＩＤ又はそのベアラに対応する論理チャネルＩＤであり、もう１つは、データ伝送形式であり、Ｌｉｎｋ ａｇｇｒｅｇａｔｉｏｎ、Ｌｉｎｋ ｓｗｉｔｃｈｉｎｇ、またはＰａｃｋｅｔ ｄｕｐｌｉｃａｔｉｏｎである。
【００３４】
上記で提供された処理は、ＣＡ (キャリアアグリゲーション)シーンにも適用可能であり、ＣＡシーンに適用される場合、データ伝送モードはキャリアアグリゲーション( ＣＡ )またはパケット複製( Ｐａｃｋｅｔ ｄｕｐｌｉｃａｔｉｏｎ )の２つのモードのみを含むという点で上記と異なる。
【００３５】
低遅延高信頼通信( ＵＲＬＬＣ )について、５Ｇ標準研究において、デュアルリンクＤＣ、またはキャリアアグリゲーションＣＡシーンにおけるＰＤＣＰ ( Ｐａｃｋｅｔ Ｄａｔａ Ｃｏｎｖｅｒｇｅｎｃｅ Ｐｒｏｔｏｃｏｌ )複製ｄｕｐｌｉｃａｔｉｏｎなど、その信頼性伝送を保証するための多くのメカニズムが確立されている。例えば、図２−２及び図２−３は、それぞれ、ＤＣシーンのＰＤＣＰ ｄｕｐｌｉｃａｔｉｏｎ及びＣＡシーンのＰＤＣＰ ｄｕｐｌｉｃａｔｉｏｎＰＤＣＰを示し、１つのＰＤＣＰ層によって生成されたＰＤＣＰプロトコルデータユニット( ＰＤＵ、Ｐｒｏｔｏｃｏｌ Ｄａｔａ Ｕｎｉｔ )が２つのＲＬＣ ( Ｒａｄｉｏ Ｌｉｎｋ Ｃｏｎｔｒｏｌ、無線リンク層制御プロトコル)上でそれぞれ伝送され、その後、プライマリセルグループ( ＭＣＧ、Ｍａｓｔｅｒ ｃｅｌｌ ｇｒｏｕｐ )及びセカンダリセルグループ( ＳＣＧ、ｓｅｃｏｎｄａｒｙ ｃｅｌｌ ｇｒｏｕｐ )のＭＡＣ ( Ｍｅｄｉａ Ａｃｃｅｓｓ Ｃｏｎｔｒｏｌ、メディア介入制御層)において、それぞれ異なるＴＢにカプセル化されて、ＰＤＵ送信の信頼性を向上させる。図２−２及び図２−３に関して異なる点は、２つのＭＡＣ層にそれぞれ伝送してもよく、同一のＭＡＣに転送してもよいことである。しかし、このデータ伝送の信頼性は、無線リソースを犠牲にしてシステムスループットを下げて実現する。したがって、信号品質が良好な場合には、１つのパケットのみを伝送し、ＨＡＲＱ伝送が同様に、データ伝送の信頼性を確保することができる。
【００３６】
図２−２及び図２−３に示すアーキテクチャで実行可能な３つのデータ伝送形式として、Ｌｉｎｋ ａｇｇｒｅｇａｔｉｏｎは、スループット向上を目的とし、２つのｌｅｇが同時に活性化されて異なるパケットを伝送する。Ｌｉｎｋ ｓｗｉｔｃｈｉｎｇは、データ伝送のために最良のリンクを見つけることを目的とし、２つのｌｅｇが同時に活性化されず、信号品質が最良であるものを利用してデータ伝送を行い、例えばＥＮ−ＤＣでは、ＬＴＥはＮＲリンクのバックアップとする。Ｐａｃｋｅｔ ｄｕｐｌｉｃａｔｉｏｎは、信頼性を提供することを主な目的とし、２つのｌｅｇを同時に活性化されて同一パケットを伝送する。
【００３７】
このように、上記手段を採用することにより、端末デバイスから報告されたパラメータ及び/又はネットワーク側の関連情報に基づいて、端末デバイスに対するデータ伝送モードを決定することができ、システム容量の向上とデータ伝送の信頼性の両立を図ることができる。
【００３８】
実施例二
本発明の実施例は、ネットワークデバイスを提供し、図３に示すように、通信ユニット３１及び処理ユニット３２を含み、
通信ユニット３１は、入力パラメータを取得し、前記データ伝送モードを前記端末デバイスに送信し、ここで、前記入力パラメータが、端末デバイスから報告された伝送関連情報、及び／又は、ネットワーク側の関連情報を含み、
処理ユニット３２は、前記入力パラメータに基づいて、前記端末デバイスに対するデータ伝送モードを決定する。
【００３９】
ここで、前記ネットワークデバイスは、ネットワーク側の基地局等のデバイスであってもよく、伝送モードの選択及び送信の処理が可能であればこの実施例で保護する対象とすることができる。
【００４０】
前記入力パラメータには、能動的に報告したコンテンツが含まれていてもよく、及び/又は、ネットワーク側で検出又は直接取得した関連情報が含まれていてもよい。
【００４１】
具体的に、前記端末デバイスから報告された伝送関連情報は、
前記端末デバイスから報告された、チャネルに対する測定値、前記端末デバイスから報告された、データ伝送モード指示情報のうちの少なくとも１つを含む。
【００４２】
前記ネットワーク側の関連情報は、
前記端末デバイスのサービス品質ＱＯＳ要求、ネットワーク側により測定された上りチャネル条件、ネットワーク側により統計されたデータ受信の誤り率、ネットワーク側の負荷情報のうちの少なくとも１つを含む。
【００４３】
入力パラメータに基づいて端末デバイスに対するデータ伝送モードの決定方法は、上記の複数の入力パラメータのいずれか１つから決定してもよく、複数の入力パラメータを組み合わせて決定してもよい。以下、上記複数のパラメータのそれぞれについて説明する。
【００４４】
前記端末デバイスから報告された、チャネルに対する測定値は、ＲＳＲＰ、及び／又はＲＳＲＱ、及び／又はＳＩＲ、及び／又はＳＩＮＲ、及び／又はＣＳＩであっても良い。ＰＵＣＣＨにより報告されても良いし、ＰＵＳＣＨにより報告されても良いし、ＲＲＣシグナリングより報告されても良い。
【００４５】
前記端末デバイスから報告されたデータ伝送モード指示情報は、ＵＥが、チャネル測定に応じて、データ伝送モードを選択する。ＭＡＣ ＣＥモードでネットワーク側に指示される。
【００４６】
上記２つのパラメータの使用方法に関して、端末デバイスは、そのうちの１つのみを報告し、その後、ネットワークデバイスがチャネルの測定値を利用してどのデータ伝送モードを採用するかを決定してもよく、例えば、チャネルの信号対雑音比が大きい場合、チャネル品質が良好と判断し、この場合、リンクスイッチングモードが使用されてもよく、又はリンクアグリゲーションモードが使用されてもよく、チャネルの信号対雑音比が低い場合には、チャネルの品質が悪いと判断し、パケット複製モードでデータ伝送を行うことができる。
【００４７】
端末デバイスが自らデータ伝送モードを選択した場合には、端末デバイスからデータ伝送モード指示情報を直接報知し、ネットワークデバイスは指示情報に基づいて端末デバイスに対するデータ伝送モードを決定することができる。
【００４８】
さらに、
ネットワーク側により測定された上りチャネル条件、例えば、上りチャネルを測定するＳＩＮＲ等である。
【００４９】
ネットワーク側により統計されたデータ受信の誤り率は、具体的には、ネットワーク側により統計されたデータ受信のブロック誤り率( ＢＬＥＲ、Ｂｌｏｃｋ Ｅｒｒｏｒ Ｒａｔｅ )、又はビット誤り率( ＢＥＲ、Ｂｉｔ Ｅｒｒｏｒ Ｒａｔｉｏ）を含む。このパラメータを用いてデータ伝送モードの選択を行う場合、ＢＬＥＲ又はＢＥＲが低い場合には、リンクアグリゲーション( Ｌｉｎｋ ａｇｇｒｅｇａｔｉｏｎ )モードを選択したり、リンクスイッチング( Ｌｉｎｋ ｓｗｉｔｃｈｉｎｇ )モードを選択したり、ＢＬＥＲ又はＢＥＲが高い場合には、パケット複製( Ｐａｃｋｅｔ ｄｕｐｌｉｃａｔｉｏｎ )モードを選択したり、といった処理が可能である。
【００５０】
ネットワーク側負荷は、ある側のネットワーク負荷が重ければ、Ｌｉｎｋ ｓｗｉｔｃｈｉｎｇを選択することができる。
【００５１】
前記端末デバイスのサービス品質ＱＯＳ要求は、ＵＥ ＱＯＳがレート、信頼度に対する要求及びチャネル条件に応じて、データ伝送モードを柔軟に変更し、ＵＥ ＱＯＳ要件を満足する。
【００５２】
前記ネットワーク側のいくつかのパラメータは、１つだけが使用されてもよく、同時に使用されてもよく、例えば、ネットワーク側の負荷を単独で利用したり、ネットワーク側のデータ受信の誤り率を単独で利用したりする処理方式は、既に提供されているので、ここではその説明を省略する。ＵＥのＱＯＳを単独で使用する方式は、ＵＥのＱＯＳを満たす条件に基づいてデータ伝送モードを選択することができ、例えば、ＱＯＳの条件に基づいてリンクスイッチングモード又はリンクアグリゲーションモードを採用することを決定し、その条件に基づいてパケット複製モードを選択することができる。複数のパラメータが同時に使用される場合、２つのパラメータによって選択されたパターンの共通分を結合することができ、例えば、ネットワーク側のデータ受信誤り率に基づいてリンクアグリゲーションモード及びリンクスイッチングモードを選択できると判定し、次に、ＱＯＳに基づいてリンクスイッチングモードのみを選択できると判定した場合には、リンクスイッチングモードをＵＥのデータ伝送モードとして選択する。
【００５３】
勿論、端末デバイスから報告されたパラメータを結合し伝送モードを決定することができ、例えば、端末デバイスから報告されたパラメータ及びネットワーク側の関連パラメータに基づいて決定し、端末デバイスがチャネルに対する測定値を報告し、ネットワーク側の関連パラメータがデータ受信の誤り率である場合、まず、チャネルの測定値と共に、あるデータ伝送モードが判定可能か否かを判定し、２以上のデータ伝送モードが判定された場合には、端末デバイスがデータ受信の誤り率と共に、２以上のデータ伝送モードのいずれであるかを再度判定するようにしてもよい。
【００５４】
また、複数のパラメータを組み合わせて判断する場合には、異なるパラメータに優先度を設定し、例えば、端末デバイスのチャネル測定値やデータ伝送モードを示す情報に高い優先度を設定し、次に、ネットワーク側で検出された上りチャネル条件やデータ誤り率を設定し、端末デバイスのＱＯＳに低い優先度を設定する。すなわち、複数のパラメータの結合判定の際に、その測定値を受信したら、その測定値を用いてデータ伝送モードの決定を行う。もちろん、上記の優先度の設定は一例であり、この実施形態において網羅的に列挙しない限り、他の優先度の順序で実際に設定することも可能である。複数のパラメータを組み合わせて優先度を異ならせる設定の場合は、この実施形態で提供するシーン保護の範囲内である。
【００５５】
ネットワーク側からＵＥコマンドを送信してどのデータ伝送モードを採用する。前記データ伝送モードを前記端末デバイスに送信することは、以下の方式を含む。
【００５６】
方式一として、通信ユニット３１は、前記データ伝送モードを含むコマンドを、メディアアクセス制御ＭＡＣ層制御ユニットＣＥの形態で前記端末デバイスに送信する。
【００５７】
方式二として、通信ユニット３１は、前記データ伝送モードを含むコマンドを、物理下り制御チャネルのコマンドの形態で前記端末デバイスに送信する。
【００５８】
方式三として、通信ユニット３１は、前記データ伝送モードを含むコマンドを、無線リソース制御ＲＲＣシグナリングの形態で前記端末デバイスに送信する。
【００５９】
さらに、前記データ伝送モードのコマンドは、データ伝送モードを変更するためのベアラ情報及びデータ伝送モードを含む。
【００６０】
ＭＡＣ ＣＥ形式であれば、この新たなＭＡＣ ＣＥに対して、対応する論理チャネルＩＤ、すなわちＬＣＩＤを定義する。ＭＡＣ ＣＥは、２つの情報を含み、１つがデータ伝送モードの変更を指示するベアラ情報、端末と基地局間のデータベアラＤＲＢの識別子（ＩＤ）又はベアラに対応する論理チャネルのＩＤ(図２−１ )であり、もう１つがデータ伝送形式であり、このデータ伝送形式でＬｉｎｋ ａｇｇｒｅｇａｔｉｏｎ、Ｌｉｎｋ ｓｗｉｔｃｈｉｎｇ、又はＰａｃｋｅｔ ｄｕｐｌｉｃａｔｉｏｎの何れのモードを採用するかを示し、具体的なデータ伝送形式は、図２−１のＦｌａｇビットでもよく、２ ｂｉｔでもよく、例えば、リンクアグリゲーションモードを用いる場合が００、リンクスイッチモードの場合が０１、パケット複製モードの場合は１０であっても良く、他のモードが１１である。もちろん、前記２ ｂｉｔで表される形式は例示に過ぎず、他の設定も可能であり、ここでは網羅しない。
【００６１】
ＰＤＣＣＨ ｏｒｄｅｒ／ＲＲＣシグナリング形式であれば、ＰＤＣＣＨ ｏｒｄｅｒ／ＲＲＣシグナリングには２つの情報が含まれ、１つがそのコマンドがデータ伝送モードを変更するベアラ情報、ＤＲＢ ＩＤ又はそのベアラに対応する論理チャネルＩＤであり、もう１つは、データ伝送形式であり、Ｌｉｎｋ ａｇｇｒｅｇａｔｉｏｎ、Ｌｉｎｋ ｓｗｉｔｃｈｉｎｇ、またはＰａｃｋｅｔ ｄｕｐｌｉｃａｔｉｏｎである。
【００６２】
上記で提供された処理は、ＣＡ (キャリアアグリゲーション)シーンにも適用可能であり、ＣＡシーンに適用される場合、データ伝送モードはキャリアアグリゲーション( ＣＡ )またはパケット複製( Ｐａｃｋｅｔ ｄｕｐｌｉｃａｔｉｏｎ )の２つのモードのみを含むという点で上記と異なる。
【００６３】
このように、上記手段を採用することにより、端末デバイスから報告されたパラメータ及び/又はネットワーク側の関連情報に基づいて、端末デバイスに対するデータ伝送モードを決定することができ、システム容量の向上とデータ伝送の信頼性の両立を図ることができる。
【００６４】
本発明は、ネットワークデバイスのハードウェア構成を提供し、図４に示すように、少なくとも１つのプロセッサ４０１と、メモリ４０２と、少なくとも１つのネットワークインタフェース４０３とを含む。様々な構成要素は、バスシステム４０４によって互いに結合される。バスシステム４０４は、これらの構成要素間の接続通信を可能にするために使用されることが理解される。バスシステム４０４は、データバスの他に、電源バス、制御バス、ステータス信号バスを有する。ただし、説明を明確にするために、図４では、様々なバスをバスシステム４０４と標記する。
【００６５】
本開示におけるメモリ４０２は、揮発性メモリまたは不揮発性メモリであってもよく、または揮発性メモリおよび不揮発性メモリの両方を含んでもよいことが理解される。
【００６６】
いくつかの対応において、メモリ４０２は、実行可能モジュールもしくはデータ構造、それらのサブセット、またはそれらの拡張セットであるオペレーティングシステム４０２１及びアプリケーションプログラム４０２２を記憶する。
【００６７】
ここで、前記プロセッサ４０１は、実施例１で説明された方法ステップの全てを実行できるように構成され、ここでその説明が省略される。
【００６８】
本出願は、コンピュータ実行可能命令を記憶したコンピュータ記憶媒体を提供し、該コンピュータ実行可能命令は、実行されると、前記実施例の方法ステップを実施し、ここでその説明を省略する。
【００６９】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【００７０】
従って、本発明の実施例は、本発明の実施例によるデータスケジューリング方法を実行するように構成されたコンピュータプログラムを格納するコンピュータ記憶媒体をさらに提供する。 
以上、本発明の好ましい実施形態について説明したが、本発明はこれらの実施形態に限定されず、その要旨の範囲内で種々の変形及び変更が可能である。
【図１】
2021503198.tif 000003
【図２−１】
2021503198.tif 000004
【図２−２】
2021503198.tif 000005
【図２−３】
2021503198.tif 000006
【図３】
2021503198.tif 000007
【図４】
2021503198.tif 000008
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
ネットワークデバイスに応用されるデータ伝送モードの決定方法であって、
入力パラメータを取得することと、
前記入力パラメータに基づいて、端末デバイスに対するデータ伝送モードを決定することと、
前記データ伝送モードを前記端末デバイスに送信することとを含み、
前記入力パラメータが、端末デバイスから報告された伝送関連情報、又は、ネットワーク側の関連情報を含む
ことを特徴とするデータ伝送モードの決定方法。
【請求項２】
前記入力パラメータが、端末デバイスから報告された伝送関連情報、及び、ネットワーク側の関連情報を含む
ことを特徴とする請求項１に記載のデータ伝送モードの決定方法。
【請求項３】
前記データ伝送モードを前記端末デバイスに送信することは、
前記データ伝送モードを含むコマンドを、メディアアクセス制御ＭＡＣ層制御ユニットＣＥの形態で前記端末デバイスに送信すること、
又は、
前記データ伝送モードを含むコマンドを、物理下り制御チャネルのコマンドの形態又は無線リソース制御ＲＲＣシグナリングの形態で前記端末デバイスに送信すること、を含む
ことを特徴とする請求項１又は２に記載のデータ伝送モードの決定方法。
【請求項４】
前記データ伝送モードを前記端末デバイスに送信することは、
データ伝送モードを変更するためのベアラ情報を含むコマンド含む
ことを特徴とする請求項１又は２に記載のデータ伝送モードの決定方法。
【請求項５】
前記端末デバイスに対するデータ伝送モードは、
リンクアグリゲーションモード、リンクスイッチングモード、キャリアアグリゲーションモード、パケット複製モードのうちの少なくとも１つを含む
ことを特徴とする請求項１に記載のデータ伝送モードの決定方法。
【請求項６】
前記端末デバイスから報告された伝送関連情報は、
前記端末デバイスから報告された、チャネルに対する測定値、
前記端末デバイスから報告された、データ伝送モード指示情報のうちの少なくとも１つを含む
ことを特徴とする請求項１〜５のいずれ1項に記載のデータ伝送モードの決定方法。
【請求項７】
前記ネットワーク側の関連情報は、
前記端末デバイスのサービス品質ＱＯＳ要求、
ネットワーク側により測定された上りチャネル条件、
ネットワーク側により統計されたデータ受信の誤り率、
ネットワーク側の負荷情報のうちの少なくとも１つを含む
ことを特徴とする請求項１に記載のデータ伝送モードの決定方法。
【請求項８】
通信ユニットと、処理ユニットと、を備えるネットワークデバイスであって、
前記通信ユニットは、入力パラメータを取得し、データ伝送モードを前記端末デバイスに送信し、前記入力パラメータが、端末デバイスから報告された伝送関連情報、又は、ネットワーク側の関連情報を含み、
前記処理ユニットは、前記入力パラメータに基づいて、前記端末デバイスに対するデータ伝送モードを決定する
ことを特徴とするネットワークデバイス。
【請求項９】
前記入力パラメータが、端末デバイスから報告された伝送関連情報、及び、ネットワーク側の関連情報を含み
ことを特徴とする請求項８に記載のネットワークデバイス。
【請求項１０】
前記通信ユニットは、前記データ伝送モードを含むコマンドを、メディアアクセス制御ＭＡＣ層制御ユニットＣＥの形態で前記端末デバイスに送信し、又は、
前記データ伝送モードを含むコマンドを、物理下り制御チャネルのコマンドの形態又は無線リソース制御ＲＲＣシグナリングの形態で前記端末デバイスに送信する
ことを特徴とする請求項８又は９に記載のネットワークデバイス。
【請求項１１】
前記通信ユニットは、
データ伝送モードを変更するためのベアラ情報を含むコマンドを送信する
ことを特徴とする請求項８又は９に記載のネットワークデバイス。
【請求項１２】
前記端末デバイスに対するデータ伝送モードは、
リンクアグリゲーションモード、リンクスイッチングモード、キャリアアグリゲーションモード、パケット複製モードのうちの少なくとも１つを含む
ことを特徴とする請求項８に記載のネットワークデバイス。
【請求項１３】
前記端末デバイスから報告された伝送関連情報は、
前記端末デバイスから報告された、チャネルに対する測定値、
前記端末デバイスから報告された、データ伝送モード指示情報のうちの少なくとも１つを含む
ことを特徴とする請求項８に記載のネットワークデバイス。
【請求項１４】
前記ネットワーク側の関連情報は、
前記端末デバイスのサービス品質ＱＯＳ要求、
ネットワーク側により測定された上りチャネル条件、
ネットワーク側により統計されたデータ受信の誤り率、
ネットワーク側の負荷情報のうちの少なくとも１つを含む
ことを特徴とする請求項８に記載のネットワークデバイス。
【請求項１５】
請求項１〜７のいずれか１項に記載の方法ステップを実行するコンピュータ実行可能命令を記憶した
ことを特徴とするコンピュータ記憶媒体。
【国際調査報告】
2021503198.tif 000009
2021503198.tif 000010
2021503198.tif 000011
2021503198.tif 000012